(57)【特許請求の範囲】
【請求項１】
ケース前面に押下操作部を露出させて、ケース内に配置されたスイッチ素子をオン／オフ操作する電子機器の押しボタン取付構造であって、
前記押下操作部の裏面に前記スイッチ素子に当接するスイッチ当接部を備えると共に、押下された前記押下操作部を復帰させる弾性片が前記押下操作部の側方に延設され、更に前記ケースに係止する押しボタン固定部が前記弾性片の先端に設けられて成る一方、
前記ケースが、ケース前面を構成する上ケースと、ケース背面を構成する下ケースとで構成されて、前記上ケースの外周に形成された反りを防止するための上側外周リブの内側に、前記押しボタン固定部を収容する収容凹部を切り欠き形成して前記押しボタン固定部を前記収容凹部に配置し、
前記押しボタン固定部を支点に押下操作を可能としたことを特徴とする電子機器の押しボタン取付構造。
【請求項２】
前記押しボタン固定部には、前記上ケースと前記下ケースを嵌合した際に、前記下ケースの外周に形成された下側外周リブに当接する下ケース当接部を有し、
前記上ケースと前記下ケースとを嵌合した際に、前記押しボタン固定部は前記上ケースと前記下ケースとで挟持されることを特徴とする請求項１記載の電子機器の押しボタン取付構造。
【請求項３】
前記スイッチ素子は、前記ケース内において回路基板に搭載され、
前記押しボタン固定部は、前記回路基板の前記スイッチ素子搭載面に当接する基板当接リブを有することを特徴とする請求項１又は２記載の電子機器の押しボタン取付構造。
【発明の詳細な説明】
【技術分野】
【０００１】
本発明は電子機器の押しボタンスイッチに関し、詳しくは押下操作後に復帰させるための弾性片が一体に形成され、背部に配置されたスイッチ素子を操作する電子機器の押しボタン取付構造に関する。
【背景技術】
【０００２】
従来から、別途コイルバネ等の弾性部材を使用することなくケース内に配置したスイッチ素子をオン／オフできる押しボタンが電子機器においては広く使用されている。このような押しボタンは、例えば特許文献１に開示されているように、押しボタンの押下操作部の一端にケースに連結して回動する軸を配置し、この軸に対向する押しボタンの反対側に弾性片を設け、ケースに組み付けられた。このように構成することで、奥行き方向にスペースを必要とせず押しボタンのストローク量を容易に確保できたし、押しボタン自体を安価に構成できた。
また、押しボタンの押下する操作面が大きい場合は、弾性片を押しボタンの背部に配置した構成のものもあった（例えば、特許文献２参照）。
【先行技術文献】
【特許文献】
【０００３】
【特許文献１】特開２０１１−２４９１２１号公報
【特許文献２】特開２００５−２２８５９０号公報
【発明の概要】
【発明が解決しようとする課題】
【０００４】
昨今の電子機器は小型薄型化が進む一方でケースに組み付けられる液晶ディスプレイ等の表示部や操作部は大型化している。特にインターホン機器ではこの流れが顕著で、機器ケースは薄型化に加えて液晶ディスプレイが大型化しており、ケースの中央に液晶ディスプレイを配置し、ケース周辺部に押しボタンスイッチを配置する構成のものが広まってきている。
【０００５】
しかしながら、こうしたケース周辺部に弾性片が一体形成された押しボタンを設置する場合、上記特許文献１のような構造では押しボタンをケース端部に配置できたとしても、弾性片がケース中央方向に配置されることになるため、ディスプレイの周囲にその分のスペースを設けたケースが必要であり、ケースの小型化が難しい。
また、弾性片を押しボタンの背部に備えた上記特許文献２の構成の場合、押しボタン自体を小さくできないためやはり好ましい形態ではない。
【０００６】
そこで、本発明はこのような問題点に鑑み、弾性片が一体に形成された押しボタンであっても、ケースの縁部に省スペースで設置できる電子機器の押しボタン取付構造を提供することを目的としている。
【課題を解決するための手段】
【０００７】
上記課題を解決する為に、請求項１の発明は、ケース前面に押下操作部を露出させて、ケース内に配置されたスイッチ素子をオン／オフ操作する電子機器の押しボタン取付構造であって、押下操作部の裏面にスイッチ素子に当接するスイッチ当接部を備えると共に、押下された押下操作部を復帰させる弾性片が押下操作部の側方に延設され、更にケースに係止する押しボタン固定部が弾性片の先端に設けられて成る一方、ケースが、ケース前面を構成する上ケースと、ケース背面を構成する下ケースとで構成されて、上ケースの外周に形成された反りを防止するための上側外周リブの内側に、押しボタン固定部を収容する収容凹部を切り欠き形成して押しボタン固定部を収容凹部に配置し、押しボタン固定部を支点に押下操作を可能としたことを特徴とする。
この構成によれば、上ケースの外周リブを切り欠いて押しボタン固定部を配置するため、押しボタン固定部を押下操作部よりケース縁側に配置しても、押下操作部自体もケース縁部に近接するよう配置できる。そして、弾性片も押下操作部よりケース外側に配置されるため、省スペースで押しボタンを配置でき、大きなディスプレイ等を配置してもケースの小型化を図ることができる。
【０００８】
請求項２の発明は、請求項１に記載の構成において、押しボタン固定部には、上ケースと下ケースを嵌合した際に、下ケースの外周に形成された下側外周リブに当接する下ケース当接部を有し、上ケースと下ケースとを嵌合した際に、押しボタン固定部は上ケースと下ケースとで挟持されることを特徴とする。
この構成によれば、押しボタン固定部は上ケースと下ケースとで挟持されるので、押しボタン固定部のがたつきが防止されるし、押しボタン固定部を上側外周リブの作用を奏させることが可能であり、上側外周リブに収容凹部を設けてもケースの剛性を確保でき、撓みやすくなるのを防止できる。
【０００９】
請求項３の発明は、請求項１又は２に記載の構成において、スイッチ素子は、ケース内において回路基板に搭載され、押しボタン固定部は、回路基板のスイッチ素子搭載面に当接する基板当接リブを有することを特徴とする。
この構成によれば、押しボタン固定部はケースに取り付けられる回路基板と上ケースによって抑えられるので押しボタン固定部のがたつきが防止される。
【発明の効果】
【００１０】
本発明によれば、上ケースの外周リブ構造を切り欠いて押しボタン固定部を配置するため、押しボタン固定部を押下操作部よりケース縁側に配置しても、押下操作部自体もケース縁部に近接するよう配置できる。そして、弾性片も押下操作部より外側に配置するため、ケース前面の大きなスペースを他の部材の設置に利用でき、ケースの小型化に有効である。
また、押しボタン固定部を上ケースと下ケースとで挟持させることで、押しボタン固定部のがたつきが防止されるし、押しボタン固定部を上側外周リブの作用を奏させることが可能であり、上側外周リブに収容凹部を設けてもケースの剛性を確保でき、撓みやすくなるのを防止できる。
【図面の簡単な説明】
【００１１】
【図１】本発明に係る電子機器の押しボタン取付構造を採用したインターホン機器の外観図である。
【図２】ハンドセットを外した図１のインターホン機器の正面図である。
【図３】図１の上ケースの背面斜視図である。
【図４】Ｂ部拡大図である。
【図５】押しボタンを示し、（ａ）は正面図、（ｂ）は平面図、（ｃ）は右側面図である。
【図６】Ａ−Ａ線断面図である。
【図７】Ｃ部拡大図である。
【図８】Ｄ部拡大図である。
【発明を実施するための形態】
【００１２】
以下、本発明を具体化した実施の形態を、図面を参照して詳細に説明する。図１，図２は本発明に係る押しボタン取付構造を採用した電子機器であるインターホン機器を示し、図１は外観図、図２はハンドセットを外したケースの正面図を示している。図１、図２において、１は押しボタン、２は映像や各種操作画面を表示する液晶ディスプレイ、３は通話するためのハンドセット、４はスピーカ、５はマイクであり、ディスプレイ２がケース６の中央に大きく配置され、押しボタン１はその下部の僅かなスペースに配置されている。
【００１３】
尚、このインターホン機器は室内に設置される機器を示し、押しボタン１はディスプレイ２にメニュー画面を表示させるメニューボタンとして使用される。また、マイク５はハンドセット３を使用しないハンズフリー通話の為に設けられ、スピーカ４はハンズフリー通話に加えて、各種警報音を報音する報音部として設けられている。
【００１４】
ケース６は、前面を構成する上ケース６ａと背面を構成する下ケース６ｂとで構成されており、図３は上ケース６ａを後方から見た斜視図を示している。この図３に示すように、上ケース６ａには大面積を使用したディスプレイ設置部１１が開口形成され、その下部に押しボタン設置部１２、マイク設置部１３、ハンドセット３で隠れる側部にスピーカ設置部１４が設けられている。
【００１５】
図４は図３のＢ部の拡大図であり、押しボタン設置部１２の拡大図を示している。また、図５は押しボタン１単体を示し、（ａ）は正面図、（ｂ）は平面図、（ｃ）は右側面図を示している。図４，図５に示すように、押しボタン１は押下操作される押下操作部１ａ、押下操作部１ａの押下状態を復帰させる板バネ部１ｂ、ケース１に固定されて押下動作の支点となる押しボタン固定部１ｃとで構成され、合成樹脂成形により一体に形成されている。
【００１６】
押下操作部１ａは、平坦な基部１７から横長の長円形状に膨出形成され、頂部は一様な曲面を有する操作面１８を形成している。板バネ部１ｂは、押下操作部１ａの基部１７と押しボタン固定部１ｃとを連結する部材でもあり、左右に一対設けられていると共に、前後方向に弾性を有するよう板状に形成されている。そして、押しボタン固定部１ｃは横長の棒状に形成され、押下操作部１ａに平行に配置されている。
尚、押下操作部１ａの裏面には、後述するスイッチ素子に当接するスイッチ当接部１９が突設されている。
【００１７】
この実施形態のように、大型のディスプレイ２が備えられているにも拘わらず比較的小さなケース６を使用したインターホン機器においては、押しボタン１を配置するスペースが限られ、必然的にケースの周辺部の僅かな幅の部位に取り付ける必要にせまられる。そのため、押しボタン１の形状においてもこのように横長に形成され、押下操作部１ａと押しボタン固定部１ｃが接近した形状が要求される。以下、上記の如く形成した押しボタン１の取付形態について説明する。
【００１８】
図６は図２の押しボタン中央で切断したＡ−Ａ線断面図を示し、この図６に示すように上ケース６ａ及び下ケース６ｂの外周には、反りを防止するためのリブ（上側外周リブ２０、及び下側外周リブ２１）が全周に亘って形成されている。そして、図４に示すように、押しボタン設置部１２は上ケース６ａの上側外周リブ２０の内側を切り欠いて設けた収容凹部２３に押しボタン固定部１ｃを収容して上ケース６ａ内に配置されている。
【００１９】
尚、図４において、上側外周リブ２０に平行して設けられている壁部１５は静電気対策のためのリブである。また、図６において、２４は押しボタン１の押下操作によりオン／オフ操作されるスイッチ素子、２５はスイッチ素子２４を搭載した回路基板を示している。この回路基板２４は、上ケース６ａに組み付けられている。
【００２０】
収容凹部２３に収容した押しボタン固定部１ｃは、上側外周リブ２０の一部を成すように配置され、上ケース６ａに下ケース６ｂを嵌合することで挟持されて固定される。図７は図６のＣ部拡大図を示し、この図７を参照して具体的に説明する。
上側外周リブ２０は、嵌合する下ケース６ｂの下側外周リブ２１の先端部が当接する段部２０ａを内側に備えている。押しボタン固定部１ｃは、この段部２０ａに合わせた奥行きＴを有し、収容凹部２３に装着した押しボタン固定部１ｃの背面２２は、段部２０ａと同一の高さとなる。
そのため、上ケース６ａと下ケース６ｂとを嵌合して下側外周リブ２１が上側外周リブ２０の段部２０ａに当接した際に、同時に下側外周リブ２１は押しボタン固定部１ｃにも当接する。こうして、押しボタン固定部１ｃは双方の外周リブ２０，２１で挟持され固定される。
【００２１】
尚、図８は比較の為の図であり、図６のＤ部拡大図を示している。この図８は、収容凹部２３を形成して薄く形成された図７に示す上側外周リブ２０と、それ以外の十分な厚みを持った上側外周リブ２０を比較するための図であり、収容凹部２３を形成する必要のない上側外周リブ２０は十分な厚みを有して反りを防止でき、下ケース６ｂと良好に嵌合する。
【００２２】
また、図７において、２６は回路基板２５に当接する基板当接リブである。基板当接リブ２６は、押しボタン固定部１ｃの押下操作部１ａ側となる上部に後方に向けて突設され、押しボタン１を取り付けた上ケース６ａに回路基板２５を取り付けた際に、回路基板２５に当接する。この結果、押しボタン固定部１ｃは、回路基板２５と上ケース６ａとで挟持される。
【００２３】
このように、上ケース６ａの外周リブ２０を切り欠いて押しボタン固定部１ｃを配置するため、押しボタン固定部１ｃを押下操作部１ａよりケース６の縁側に配置しても、押下操作部１ａ自体もケース縁部に近接するよう配置できる。そして、板バネ部１ｂも押下操作部１ａより外側に配置するため、ケース６の前面の大きなスペースを他の部材の設置に利用でき、大きなディスプレイ等を配置しても省スペースで押しボタン１を配置でき、ケース６の小型化を図ることができる。
また、押しボタン固定部１ｃは上ケース６ａと下ケース６ｂとで挟持されるので、押しボタン固定部１ｃのがたつきが防止されるし、押しボタン固定部１ｃに上側外周リブ２０の作用を奏させることができ、上側外周リブ２０に収容凹部２３を設けても上ケース６ａの剛性を確保でき、撓みやすくなるのを防止できる。
更に、押しボタン固定部１ｃはケース６内に配置される回路基板２５と上ケース６ａによって抑えられるので押しボタン１を堅牢に保持できる。
【００２４】
尚、上記実施形態では、板バネ部１ｂを左右に一対配置したが、押下操作部１ａの大きさによっては中央に１個だけ配置しても良いし、３本配置しても良い。
【産業上の利用可能性】
【００２５】
上記実施形態は、本発明の押しボタン取付構造を電子機器であるインターホン機器に適用した場合を説明したが、電話機やテレビ等の他の電子機器に対しても容易に適用できるものである。
【符号の説明】
【００２６】
１・・押しボタン、１ａ・・押下操作部、１ｂ・・板バネ部（弾性片）、１ｃ・・押しボタン固定部、１９・・スイッチ当接部、２０・・上側外周リブ、２１・・下側外周リブ、２２・・背面（下ケース当接部）、２３・・収容凹部、２４・・スイッチ素子、２５・・回路基板、２６・・基板当接リブ。
【図１】
0005873747.tif 000002
【図２】
0005873747.tif 000003
【図３】
0005873747.tif 000004
【図４】
0005873747.tif 000005
【図５】
0005873747.tif 000006
【図６】
0005873747.tif 000007
【図７】
0005873747.tif 000008
【図８】
0005873747.tif 000009